(57)【要約】【課題】作業者の手の大きさに応じてハンドル部の長手方向のグリップ範囲を調整することによって、常に最適な状態でグリップを把持することができる操作性の良い電動工具を提供すること。【解決手段】駆動源であるモータを内蔵したハウジング２の胴体部２Ａから一体に延びるハンドル部２Ｂを備えて成る電動工具１において、前記ハンドル部２Ｂの長手方向に移動可能なアジャスタ５を設け、該アジャスタ５によってハンドル部２Ｂのグリップ２ａの長手方向範囲を調整可能とする。アジャスタ５の移動機構として、ハンドル部２Ｂ内に長手方向に沿うネジ軸を回転可能に収納するとともに、該ネジ軸にスライダを螺合せしめ、該スライダの一部をアジャスタ５に係合せしめ、ネジ軸と一体のダイヤル１２を回してアジャスタ５をネジ軸に沿って移動させることによってアジャスタ５をハンドル部２Ｂの長手方向に移動させる構成を採用する。【選択図】図１
2007307626.tif 000002
【特許請求の範囲】
【請求項１】
駆動源であるモータを内蔵したハウジングの胴体部から一体に延びるハンドル部を備えて成る電動工具において、
前記ハンドル部の長手方向に移動可能なアジャスタを設け、該アジャスタによってハンドル部のグリップの長手方向範囲を調整可能としたことを特徴とする電動工具。
【請求項２】
前記ハンドル部内に長手方向に沿うネジ軸を回転可能に収納するとともに、該ネジ軸にスライダを螺合せしめ、該スライダの一部を前記アジャスタに係合せしめ、前記ネジ軸と一体のダイヤルを回して前記アジャスタをネジ軸に沿って移動させることによって前記アジャスタを前記ハンドル部の長手方向に移動させるよう構成したことを特徴とする請求項１記載の電動工具。
【請求項３】
駆動源であるモータを内蔵したハウジングの胴体部から一体に延びるハンドル部を備えて成る電動工具において、
前記ハンドル部のグリップの長手方向範囲を調整するためのアジャスタをハンドル部に対して着脱可能としたことを特徴とする電動工具。
【請求項４】
前記アジャスタを前記ハンドル部の外周を外側から覆うようリング状に構成したことを特徴とする請求項１〜３の何れかに記載の電動工具。
【請求項５】
前記アジャスタの表面に軟質層を形成したことを特徴とする請求項１〜４の何れかに記載の電動工具。
【発明の詳細な説明】
【技術分野】
【０００１】
本発明は、ハンドル部の長手方向のグリップ範囲を調整可能とした電動工具に関するものである。
【背景技術】
【０００２】
例えばインパクト工具等の電動工具は、駆動源であるモータを内蔵したハウジングの胴体部から一体に延びるハンドル部を備えており、作業者はハンドル部のグリップを片手で把持して所要の作業を行う。
【０００３】
ところで、斯かる電動工具のハンドル部に設けられたグリップは、作業者がこれを手で把持し易いように形状や材質等に種々の工夫がなされている。例えば、グリップの形状を手が密着し易い曲面形状としたり、グリップの表面にエラストマー等の軟質材を設けて作業者がグリップを快適に把持することができるよう工夫されている。
【０００４】
しかし、従来のグリップは形状及び寸法が一定不変であったため、手の大きさに違いがある作業者の全てがグリップを常に適正に把持することは困難であった。
【０００５】
そこで、着脱可能な外グリップをハンドル部のグリップの外周に被着可能とすることによって、グリップの太さを変更可能とした電動工具が提案されている（特許文献１参照）。
【特許文献１】特開２００１−３１０２７３号公報
【発明の開示】
【発明が解決しようとする課題】
【０００６】
ところが、上記提案に係る電動工具では、作業者の手の大きさに応じてグリップの太さを変更することができるものの、グリップの長手方向の寸法を調整することができないため、全ての作業者がグリップを常に適正に把持して快適に作業を行うことができないという問題がある。一般にハンドル部の長手方向のグリップ範囲は成人の手幅の平均寸法である７９．２ｍｍ（「設計のための人体寸法データ集」１９９６年、生命工学工業技術研究所編）よりも長いため、ハンドル部を把持した作業者の手がグリップの長手方向に滑り易く、作業しづらいという問題がある。又、特に手幅が平均寸法よりも短い作業者（例えば手幅が７０ｍｍ（５パーセンタイル）の作業者）にはグリップを握りにくいという問題がある。
【０００７】
又、着脱可能な外グリップは、作業者の手の大きさに合わせて複数のサイズのものを予め用意する必要があるためにコストアップを免れず、該外グリップは分離式であるために作業場等で紛失し易いという問題もある。
【０００８】
本発明は上記問題に鑑みてなされたもので、その目的とする処は、作業者の手の大きさに応じてハンドル部の長手方向のグリップ範囲を調整することによって、常に最適な状態でグリップを把持することができる操作性の良い電動工具を提供することにある。
【課題を解決するための手段】
【０００９】
上記目的を達成するため、請求項１記載の発明は、駆動源であるモータを内蔵したハウジングの胴体部から一体に延びるハンドル部を備えて成る電動工具において、前記ハンドル部の長手方向に移動可能なアジャスタを設け、該アジャスタによってハンドル部のグリップの長手方向範囲を調整可能としたことを特徴とする。
【００１０】
請求項２記載の発明は、請求項１記載の発明において、前記ハンドル部内に長手方向に沿うネジ軸を回転可能に収納するとともに、該ネジ軸にスライダを螺合せしめ、該スライダの一部を前記アジャスタに係合せしめ、前記ネジ軸と一体のダイヤルを回して前記アジャスタをネジ軸に沿って移動させることによって前記アジャスタを前記ハンドル部の長手方向に移動させるよう構成したことを特徴とする。
【００１１】
請求項３記載の発明は、駆動源であるモータを内蔵したハウジングの胴体部から一体に延びるハンドル部を備えて成る電動工具において、前記ハンドル部のグリップの長手方向範囲を調整するためのアジャスタをハンドル部に対して着脱可能としたことを特徴とする。
【００１２】
請求項４記載の発明は、請求項１〜３の何れかに記載の発明において、前記アジャスタを前記ハンドル部の外周を外側から覆うようリング状に構成したことを特徴とする。
【００１３】
請求項５記載の発明は、請求項１〜４の何れかに記載の発明において、前記アジャスタの表面に軟質層を形成したことを特徴とする。
【発明の効果】
【００１４】
請求項１記載の発明によれば、ハンドル部の外周に沿ってアジャスタを移動させることによってハンドル部のグリップの長手方向範囲を作業者の手の大きさ（手幅）に応じて最適に調整することができるため、作業者は、常に最適な状態でグリップを把持することができ、作業性が高められるとともに、当該電動工具の操作性が高められる。
【００１５】
請求項２記載の発明によれば、ダイヤルの回動操作によってアジャスタをハンドル部の外周に沿って長手方向に移動させてハンドル部のグリップの長手方向範囲を調整することができる。
【００１６】
請求項３記載の発明によれば、高さの異なる複数のアジャスタを用意しておき、このアジャスタを取り替えることによってハンドル部のグリップの長手方向範囲を最適に調整することができる。
【００１７】
請求項４記載の発明によれば、リング状のアジャスタをハンドル部の外周に沿って長手方向に移動させ、或は高さの異なるアジャスタに交換することによってハンドル部のグリップの長手方向範囲を作業者の手の大きさ（手幅）に応じて最適に調整することができる。
【００１８】
請求項５記載の発明によれば、アジャスタの表面に軟質層を形成したため、作業者の手にアジャスタの軟質層がソフトに当たり、作業者は作業中に手に違和感を感ずることがなく、又、手のアジャスタへの密着性も高められる。
【発明を実施するための最良の形態】
【００１９】
［第１発明］
以下に第１発明の実施の形態を添付図面に基づいて説明する。
【００２０】
図１は第１発明に係る電動工具の左側面図、図２は図１のＡ−Ａ線断面図、図３は図２のＢ−Ｂ線断面図、図４は同電動工具のアジャスタ部の斜視図、図５及び図６は同電動工具のアジャスタ部の分解斜視図、図７は長手方向のグリップ範囲を広く調整した場合の把持状態を示す電動工具の右側面図、図８は長手方向のグリップ範囲を狭く調整した状態を示す電動工具の左側面図、図９は長手方向のグリップ範囲を狭く調整した場合の把持状態を示す電動工具の右側面図である。
【００２１】
本実施の形態に係る電動工具１は、モータを駆動源として回転打撃力を発生して先端工具を回転させつつ、これに打撃力を間欠的に与えてネジ締め等の作業を行うものであって、そのハウジング２の胴体部２Ａには駆動源である不図示のモータが内蔵されている。そして、ハウジング２の胴体部２Ａからはハンドル部２Ｂが一体に延びており、ハウジング２は全体として側面視Ｔ字状を成している。
【００２２】
上記ハウジング２のハンドル部２Ｂの上部前面にはスイッチ３が設けられ、ハンドル部２Ｂの端部（図１の下端）には、電源である複数の電池（不図示）を装填して成る電池パック４が設けられている。
【００２３】
而して、電動工具１は、作業者が図７に示すようにハンドル部２Ｂのグリップ２ａを片手で把持し、指でスイッチ３をＯＮ操作することによって不図示のモータを駆動して所要の作業を行うが、本実施の形態では、ハンドル部２Ｂの外周にはグリップ２ａの長さ方向に移動可能なアジャスタ５が設けられており、このアジャスタ５によってハンドル部２Ｂのグリップ２ａの長手方向範囲が作業者の手の大きさ（手幅）に応じて最適に調整される。
【００２４】
ここで、アジャスタ５とその移動機構の詳細を図２〜図６に基づいて説明する。
【００２５】
前記アジャスタ５は、ハウジング２のハンドル部２Ｂの下部外周を外側から覆うようにリング状に構成されており、図３に示すように、その表面（作業者の手が触れる部分）には軟質層６が形成されている。ここで、このアジャスタ５は、図２及び図４〜図６に示すように、左右に２分割された半リング状の分割片５Ａ，５Ｂを２本のネジ７で接合一体化してリング状に構成されており、その左側部には凹曲面状の切欠き部５ａが形成されており、この切欠き部５ａには矩形の開口部５ｂが形成されている。
【００２６】
他方、図３に示すように、ハウジング２のハンドル部２Ｂ内には、長手方向（図３の上下方向）に沿うネジ軸８が上下の軸受部９，１０によって回転自在に支持されて収納されており、このネジ軸８にはプレート状のスライダ１１が螺合している。又、ネジ軸８の端部（図３の下端部）には大径のダイヤル１２が一体に形成されており、このダイヤル１２の一部は、図１、図２及び図４に示すように、アジャスタ５の左側部に形成された切欠き部５ａに開口する開口部５ｂから外部に露出している。
【００２７】
ところで、図５に示すように、ハウジング２のハンドル部２Ｂの下部前面には矩形の開口部２ｂが形成されており、この開口部２ｂからは前記スライダ１１の先端部が前方に向かって突出している。そして、このスライダ１１の先端部は、図３に示すように、アジャスタ５の内周部の一部に形成された係合溝５ｃに係合している。
【００２８】
而して、本実施の形態に係る電動工具１においては、前述のようにハウジング２のハンドル部２Ｂの外周に沿ってアジャスタ５を移動させることによってハンドル部２Ｂのグリップ２ａの長手方向範囲を作業者の手の大きさ（手幅）に応じて最適に調整することができる。
【００２９】
即ち、アジャスタ５の切欠き部５ａに形成された開口部５ｂから露出するダイヤル１２を指で回せば、図３に示すネジ軸８が一体に回転し、該ネジ軸８に螺合するスライダ１１がハンドル部２Ｂの長手方向（図３の上下方向）に沿って移動する。すると、該スライダ１１の先端部に係合するアジャスタ５がハンドル部２Ｂの外周に沿って長手方向に移動するため、ハンドル部２Ｂの外周のアジャスタ５よりも上の部分であるグリップ２ａの長手方向範囲が調整される。
【００３０】
従って、図７に示すように、大きな手幅Ｗ１の作業者が当該電動工具１のハンドル部２Ｂを把持して作業を行う場合には、アジャスタ５をハンドル部２Ｂの最下端部まで移動させてグリップ２ａの長手方向範囲を広くすれば、作業者はグリップ２ａを確実に把持して所要の作業を行うことができる。
【００３１】
又、図９に示すように小さな手幅Ｗ２（＜Ｗ１）の作業者が当該電動工具１のハンドル部２Ｂを把持して作業を行う場合には、前述のようにダイヤル１２を回動操作してアジャスタ５をハンドル部２Ｂに沿って上方へ移動させれば、図８に示すようにハンドル部２Ｂのグリップ２ａの長手方向範囲が狭く調整される。このため、図９に示すように、作業者がハンドル部２Ｂのグリップ２ａを把持したときに手とアジャスタ５との間に大きな隙間が発生することがなく、作業中に手がグリップ２ａに沿って長手方向に滑ることがないために当該電動工具１の操作性が高められる。
【００３２】
以上のように、本実施の形態に係る電動工具１によれば、ハウジング２のハンドル部２Ｂの外周に沿ってアジャスタ５を移動させることによってハンドル部２Ｂのグリップ２ａの長手方向範囲を作業者の手の大きさ（手幅）に応じて最適に調整することができるため、作業者は、常に最適な状態でグリップ２ａを把持することができ、作業性が高められるとともに、当該電動工具１の操作性が高められる。
【００３３】
又、アジャスタ５はハンドル部２Ｂから分離してこれを取り外すことができないため、作業場等でアジャスタ５を紛失してしまう等の不具合が発生することがない。
【００３４】
更に、アジャスタ５の表面に軟質層６を形成したため、作業者の手にアジャスタ５の軟質層６がソフトに当たり、作業者は作業中に手に違和感を感ずることがなく、又、手のアジャスタ５への密着性も高められる。
【００３５】
［第２発明］
次に、第２発明の実施の形態を図１０及び図１１に基づいて説明する。
【００３６】
図１０は第２発明に係る電動工具のアジャスタ部の斜視図、図１１は同電動工具のアジャスタ部の分解斜視図であり、これらの図においては図４〜図６に示したものと同一要素には同一符号を付し、以下、それらについての再度の説明を省略する。
【００３７】
前記第１発明においては、ダイヤル１２を操作してアジャスタ５をハンドル部２Ｂに沿って移動させることよってハンドル部２Ｂのグリップ２ａの長手方向範囲を作業者の手の大きさ（手幅）に応じて最適に調整する構成を採用したが、本第２発明では、ハンドル部２Ｂに対して着脱可能な高さの異なる複数のアジャスタ５を予め用意しておき、このアジャスタ５を取り替えることによってハンドル部２Ｂのグリップ２ａの長手方向範囲を最適に調整するようにしている。
【００３８】
ここで、アジャスタ５は、図１１に示すように、左右に２分割された半リング状の分割片５Ａ，５Ｂを２本のネジ７で接合一体化してリング状に構成されており、これをハンドル部２Ｂに対して取り付ける際には、両分割片５Ａ，５Ｂをハンドル部５Ｂの下部外周を覆うようにハンドル部５Ｂに嵌め込み、両者を２本のネジ７で接合一体化する。又、アジャスタ５をハンドル部２Ｂから取り外して別のものと交換する際には、ネジ７を緩めて取り外せば、アジャスタ５が半リング状の分割片５Ａ，５Ｂに２分されるため、これをハンドル部２Ｂから容易に取り外すことができる。尚、図示しないが、本実施の形態においても、アジャスタ５の表面には軟質層が形成されている。
【００３９】
而して、本発明によれば、高さの異なる複数のアジャスタ５を用意しておき、このアジャスタ５を取り替えることによってハンドル部２Ｂのグリップ２ａの長手方向範囲を最適に調整することができるため、前記第１発明と同様に、作業者は、常に最適な状態でグリップ２ａを把持することができ、作業性が高められるとともに、当該電動工具の操作性が高められる。
【００４０】
ところで、前記第１発明の実施の形態によれば、アジャスタ５がハンドル部２Ｂのグリップ２ａに対して移動できるよう両者の間には僅かに隙間を設ける必要があり、その隙間に指が引っ掛かる可能性がある。又、グリップ２ａの長手方向範囲をより長くするためにアジャスタ５を取り外した場合には、グリップ２ａの表面にスライダ１１が突出することになり、長時間グリップ２ａ握ると手が痛くなる可能性がある。
【００４１】
しかし、第２発明の実施の形態においては、グリップ２ａは上方に向かうに従って外径が大きくなるようテーパ状に形成されており、アジャスタ５はこのグリップ２ａのテーパ状の部分に締代をもって取り付けられる。このため、アジャスタ５とグリップ２ａの間に隙間が生じることがなく、又、アジャスタ５が上方にずれてしまうこともない。又、アジャスタ５を外した場合でも、グリップ２ａから突出するものが無いためにグリップ２ａを快適に握ることができる。
【図面の簡単な説明】
【００４２】
【図１】第１発明に係る電動工具の左側面図である。
【図２】図１のＡ−Ａ線断面図である。
【図３】図２のＢ−Ｂ線断面図である。
【図４】第１発明に係る電動工具のアジャスタ部の斜視図である。
【図５】第１発明に係る電動工具のアジャスタ部の分解斜視図である。
【図６】第１発明に係る電動工具のアジャスタ部の分解斜視図である。
【図７】第１発明に係る電動工具の長手方向のグリップ範囲を広く調整した場合の把持状態を示す右側面図である。
【図８】第１発明に係る電動工具の長手方向のグリップ範囲を狭く調整した状態を示す左側面図である。
【図９】第１発明に係る電動工具の長手方向のグリップ範囲を狭く調整した場合の把持状態を示す右側面図である。
【図１０】第２発明に係る電動工具のアジャスタ部の斜視図である。
【図１１】第２発明に係る電動工具のアジャスタ部の分解斜視図である。
【符号の説明】
【００４３】
１          電動工具
２          ハウジング
２Ａ        ハウジングの胴体部
２Ｂ        ハウジングのハンドル部
２ａ        ハンドル部のグリップ
２ｂ        開口部
３          スイッチ
４          電池パック
５          アジャスタ
５Ａ，５Ｂ  アジャスタの分割片
５ａ        アジャスタの切欠き部
５ｂ        開口部
５ｃ        係合溝
６          軟質層
７          ネジ
８          ネジ軸
９，１０    軸受部
１１        スライダ
１２        ダイヤル
【図１】
2007307626.tif 000003
【図２】
2007307626.tif 000004
【図３】
2007307626.tif 000005
【図４】
2007307626.tif 000006
【図５】
2007307626.tif 000007
【図６】
2007307626.tif 000008
【図７】
2007307626.tif 000009
【図８】
2007307626.tif 000010
【図９】
2007307626.tif 000011
【図１０】
2007307626.tif 000012
【図１１】
2007307626.tif 000013